(57)【要約】【課題】模型・ロボットに新たな機能を付加して娯楽性や機能性の向上を図ることができる、模型・ロボットに対する機能付加のためのデータ通信システムを得る。【解決手段】赤外線通信機能又は無線ＬＡＮ通信機能を有した携帯電話において、該携帯電話のインターネット接続機能によりインターネットに接続されたコンテンツサイト内のデータベースより携帯電話データセンター及び携帯電話網を経由して各種機能データをダウンロードし、更に当該機能データを前記赤外線通信機能又は無線ＬＡＮ通信機能により模型・ロボットに配設した通信制御ユニットに送信する。また、前記通信制御ユニットより模型・ロボット側にて得られた取得データを同様の手段でコンテンツサイト内のデータベースにアップロードする。【選択図】　　　　図１
2004013290.tif 000002
【特許請求の範囲】
【請求項１】
赤外線通信機能又は無線ＬＡＮ通信機能を有した携帯電話において、該携帯電話のインターネット接続機能によりインターネットに接続されたコンテンツサイト内のデータベースより携帯電話データセンター及び携帯電話網を経由して各種機能データをダウンロードし、更に当該機能データを前記赤外線通信機能又は無線ＬＡＮ通信機能により模型・ロボットに配設した通信制御ユニットに送信することにより機能付加を図ることができ、また、前記通信制御ユニットより模型・ロボット側にて得られた取得データを赤外線通信機能又は無線ＬＡＮ通信機能により携帯電話に送信し、更に当該取得データを携帯電話網及び携帯電話データセンターを経由してインターネットに接続されたコンテンツサイト内のデータベースにアップロードすることにより取得データの保存ができるシステム構成としたことを特徴とする、模型・ロボットに対する機能付加のためのデータ通信システム。
【請求項２】
機能データが音声やメロディー等を発生するための音源データであることを特徴とした、請求項１に記載の模型・ロボットに対する機能付加のためのデータ通信システム。
【請求項３】
機能データがモーターやエンジン等の動作を制御するための動作シーケンスデータであることを特徴とした、請求項１に記載の模型・ロボットに対する機能付加のためのデータ通信システム。
【請求項４】
取得データがＣＣＤカメラ等にて撮影された画像データであることを特徴とした、請求項１に記載の模型・ロボットに対する機能付加のためのデータ通信システム。
【請求項５】
取得データがモーターやエンジン等の回転数データやトルクデータであることを特徴とした、請求項１に記載の模型・ロボットに対する機能付加のためのデータ通信システム。
【請求項６】
通信制御ユニットが、赤外線通信機能又は無線ＬＡＮ通信機能を有した携帯電話とデータ通信を行うためのデータ通信部と、音声やメロディー等の音源データをメモリに蓄積した音源部と、該音源部内の音源データより音声やメロディー等を発生させるための音源駆動部及びスピーカーと、ＣＣＤカメラ等により撮影された画像を処理するための画像処理部と、模型・ロボット内の模型・ロボット制御部を経由してモーターやエンジン等の動作を制御するための駆動制御部と、通信制御ユニットの動作状態をＬＥＤやＬＣＤ表示器等にモニタ表示するための表示部と、前記各回路ブロック内における演算データ及び当該通信制御ユニットの制御プログラム等を格納するためのメモリ部と、前記各回路ブロックを統括制御するための制御部等にて構成することを特徴とした、請求項１から請求項５に記載の模型・ロボットに対する機能付加のためのデータ通信システム。
【請求項７】
通信制御ユニットが、赤外線通信機能又は無線ＬＡＮ通信機能を有した携帯電話とデータ通信を行うためのデータ通信部と、音声やメロディー等の音源データをメモリに蓄積した音源部と、該音源部内の音源データより音声やメロディー等を発生させるための音源駆動部及びスピーカーと、模型・ロボット内の模型・ロボット制御部を経由してモーターやエンジン等の動作を制御するための駆動制御部と、通信制御ユニットの動作状態をＬＥＤやＬＣＤ表示器等にモニタ表示するための表示部と、前記各回路ブロック内における演算データ及び当該通信制御ユニットの制御プログラム等を格納するためのメモリ部と、前記各回路ブロックを統括制御するための制御部等にて構成することを特徴とした、請求項１から請求項３及び請求項５に記載の模型・ロボットに対する機能付加のためのデータ通信システム。
【発明の詳細な説明】
【０００１】
【発明の属する技術分野】
本発明は、模型・ロボットとインターネットのコンテンツサイト内のデータベース間において携帯電話を中継して各種機能データ等の伝送を行うことにより、模型・ロボットに新たな機能を付加して娯楽性や機能性の向上を図ることができる、模型・ロボットに対する機能付加のためのデータ通信システムに関するものである。
【０００２】
【従来の技術】
従来、模型例えばプラモデル，メタルモデル，ラジコン，玩具等の楽しみ方として、製作する楽しみや操作する楽しみ及び鑑賞する楽しみ等がある。また、近年急速に普及し始めた家庭用のペット型ロボットや人間型ロボットの楽しみ方として、飼育する楽しみや愛玩する楽しみ等がある。
【０００３】
【発明が解決しようとする課題】
しかしながら、上記模型の娯楽性や機能性の向上を図るための手段として、例えばモーターを使用したレーシングカーや模型エンジンを使用したラジコン飛行機等においてはスピードを向上させるためのパーツ交換等にとどまるだけであり、新たな手段の開発は行われていないのが現状である。このため、購入後において例えばレーシングカーに好みのエンジン音を発生させたりモーターの回転制御を自在に行うこと等はできなかった。また、パソコンを利用して各種機能の制御を行わせることは一部のマニアの間では行われているが、複雑な操作が伴うため一般には利用されることがなかった。なお、ラジコンの操作機を利用して各種機能の制御を行わせることは可能であるが、高価且つ大型のラジコン操作機が必要となるため新規開発商品としては好ましくない。
【０００４】
また、家庭用のペット型ロボットや人間型ロボットの娯楽性や機能性の向上を図るための手段としては、該ペット型ロボットや人間型ロボット自体は高機能・高密度に電子化されてはいるものの単体で楽しむスタンドアロンタイプであるため特になく、購入後において好みの鳴き声や言葉を発生させたり動作パターンの変更を自在に行うこと等はできなかった。
【０００５】
本発明は、以上のような問題点に鑑み成されたものであり、模型・ロボットとインターネットのコンテンツサイト内のデータベース間において携帯電話を中継して各種機能データ等の伝送を行うことにより、模型・ロボットに新たな機能を付加して娯楽性や機能性の向上を図ることができる、模型・ロボットに対する機能付加のためのデータ通信システムを提供することを目的とする。
【０００６】
【課題を解決するための手段】
上記課題を解決するため、本発明の模型・ロボットに対する機能付加のためのデータ通信システムにおいては、赤外線通信機能又は無線ＬＡＮ通信機能を有した携帯電話において、該携帯電話のインターネット接続機能によりインターネットに接続されたコンテンツサイト内のデータベースより携帯電話データセンター及び携帯電話網を経由して各種機能データをダウンロードし、更に当該機能データを前記赤外線通信機能又は無線ＬＡＮ通信機能により模型・ロボットに配設した通信制御ユニットに送信することにより機能付加を図ることができ、また、前記通信制御ユニットより模型・ロボット側にて得られた取得データを赤外線通信機能又は無線ＬＡＮ通信機能により携帯電話に送信し、更に当該取得データを携帯電話網及び携帯電話データセンターを経由してインターネットに接続されたコンテンツサイト内のデータベースにアップロードすることにより取得データの保存ができるシステム構成とする。
【０００７】
上記通信制御ユニットは、赤外線通信機能又は無線ＬＡＮ通信機能を有した携帯電話とデータ通信を行うためのデータ通信部と、音声やメロディー等の音源データをメモリに蓄積した音源部と、該音源部内の音源データより音声やメロディー等を発生させるための音源駆動部及びスピーカーと、ＣＣＤカメラ等により撮影された画像を処理するための画像処理部と、模型・ロボット内の模型・ロボット制御部を経由してモーターやエンジン等の動作を制御するための駆動制御部と、通信制御ユニットの動作状態をＬＥＤやＬＣＤ表示器等にモニタ表示するための表示部と、前記各回路ブロック内における演算データ及び当該通信制御ユニットの制御プログラム等を格納するためのメモリ部と、前記各回路ブロックを統括制御するための制御部等にて構成する。なお、画像処理部は必須回路ブロックではない。
【０００８】
【発明の実施の形態及び実施例】
本発明の実施の形態及び実施例を図を用いて説明する。図１は本発明の模型・ロボットに対する機能付加のためのデータ通信システムを構成するシステム構成図であり、図２は本発明の模型・ロボットに対する機能付加のためのデータ通信システムにおいて携帯電話とデータ通信を行う通信制御ユニットのブロック回路図である。
【０００９】
図１に示すように本発明のデータ通信システムにおいて使用する携帯電話１は、ＩｒＤＡ（Ｉｎｆｒａｒｅｄ　Ｄａｔａ　Ａｓｓｏｃｉａｔｉｏｎ）規格等の赤外線通信機能又はブルートゥース（Ｂｌｕｅｔｏｏｔｈ）規格等の無線ＬＡＮ通信機能を有した携帯電話とし、該携帯電話１と模型６（例えば図１のバイクやレーシングカー）やロボット７（例えば図１の人間型ロボット）に配設した通信制御ユニット８間において前記赤外線通信機能又は無線ＬＡＮ通信機能によりデータ通信が可能なものとする。
【００１０】
また、図２に示すように上記通信制御ユニット８は、赤外線通信機能又は無線ＬＡＮ通信機能を有した携帯電話１とデータ通信を行うためのデータ通信部１０と、音声やメロディー等の音源データをメモリに蓄積した音源部１２と、該音源部１２内の音源データより音声やメロディー等を発生させるための音源駆動部１３及びスピーカー１９と、ＣＣＤカメラ２０等により撮影された画像を処理するための画像処理部１４と、模型・ロボット内の模型・ロボット制御部９を経由してモーターやエンジン等の動作を制御するための駆動制御部１６と、通信制御ユニット８の動作状態をＬＥＤやＬＣＤ表示器等にモニタ表示するための表示部１７と、前記各回路ブロック内における演算データ及び当該通信制御ユニット８の制御プログラム等を格納するためのメモリ部１５と、前記各回路ブロックを統括制御するための制御部１１等にて構成する。なお、画像処理部１４は必須回路ブロックではない。
【００１１】
また、上記通信制御ユニット８のデータ通信部１０の前段には赤外線送受信素子又はアンテナ１８を接続し、赤外線通信機能を有した携帯電話１とデータ通信を行う場合は、携帯電話１の赤外線送受信素子と当該通信制御ユニット８の赤外線送受信素子１８間にてデータ通信を行い、無線ＬＡＮ通信機能を有した携帯電話１とデータ通信を行う場合は、携帯電話１のＬＡＮアンテナと当該通信制御ユニット８のアンテナ１８間にてデータ通信を行うものとする。
【００１２】
ここで、該携帯電話１のインターネット接続機能によりインターネット４に接続されたコンテンツサイト５内のデータベースより携帯電話データセンター３及び携帯電話網２を経由して各種機能データをダウンロードし、更に当該機能データを赤外線通信機能又は無線ＬＡＮ通信機能により模型６やロボット７に配設した通信制御ユニット８に送信することにより機能付加を図ることが可能となる。
【００１３】
上記機能データが音声やメロディー等を発生するための音源データである場合、コンテンツサイト５内のデータベースに蓄積された音源データとして例えばレーシングカーのエンジン音としてフェラーリのエンジン音やポルシェのエンジン音等の多数のエンジン音データを蓄積しておくことにより、当該コンテンツサイト５にアクセスしてきた携帯電話１のユーザーは有料又は無料にてエンジン音データをダウンロードすることができる。そして、ユーザーの所有するレーシングカーの模型６に好みのエンジン音を付加してレーシングを楽しむことができる。このほか、ロボット７に好みの鳴き声や言葉を発生させることもできる。
【００１４】
また、上記機能データがモーターやエンジン等の動作を制御するための動作シーケンスデータである場合、コンテンツサイト５内のデータベースに蓄積された動作シーケンスデータとして例えばロボット７におけるダンス等の多数の動作パターンデータを蓄積しておくことにより、当該コンテンツサイト５にアクセスしてきた携帯電話１のユーザーは有料又は無料にて動作パターンデータをダウンロードすることができる。そして、ユーザーの所有するロボット７に好みの動作パターンを加えて動きを楽しむことができる。このほか、模型６のモーターやエンジンに好みの回転制御を行わせることもできる。
【００１５】
なお、コンテンツサイト５内のデータベースよりダウンロードする機能データが音源データの場合には通信制御ユニット８だけで機能するため、各回路ブロックを構成するＩＣ等の部品にチップ型素子を使用して小型に実装すれば、既存の模型６やロボット７に追加パーツとして容易に配設することができる。また、機能データが動作シーケンスデータの場合には通信制御ユニット８を模型６やロボット７を駆動制御するための模型・ロボット制御部９に接続することが可能な場合においてのみ追加パーツとして配設することができる。なお、追加パーツとして配設することができない場合には通信制御ユニット８を模型６やロボット７の製造時において予め組み込んでおく。
【００１６】
また、該通信制御ユニット８より模型・ロボット側にて得られた取得データを赤外線通信機能又は無線ＬＡＮ通信機能により携帯電話１に送信し、更に当該取得データを携帯電話網２及び携帯電話データセンター３を経由してインターネット４に接続されたコンテンツサイト５内のデータベースにアップロードすることにより取得データの保存が可能となる。
【００１７】
上記取得データがＣＣＤカメラ等にて撮影された画像データである場合、例えばレーシングカーの走行状況をレーシングカーの視線で捕らえた画像を取得することができ、該画像データを携帯電話１に表示して楽しんだり、コンテンツサイト５内の各ユーザーのデータベース領域内にアップロードして後で楽しむことができる。
【００１８】
また、上記取得データがモーターやエンジン等の回転数データやトルクデータである場合、例えばレーシングコースにおけるレーシングカーの走行特性をコンテンツサイト５内の各ユーザーのデータベース領域にアップロードして別サーバにて走行特性の解析を行い、最適なチューニングアップデータをダウンロードして走行特性の改善を図ってレーシングを楽しむことができる。該動作モードの場合においては、携帯電話１内のアプリケーションプログラムにより当該携帯電話１のキーボード操作によりレーシングカーの走行制御即ちラジコン操作機として使用することも可能である。
【００１９】
更には、上記走行画像データやチューニングアップデータ等を他のユーザーに有料又は無料にて携帯電話１のコンテンツサイト画面よりダウンロードさせることも可能である。
【００２０】
【発明の効果】
以上述べたように、本発明の模型・ロボットに対する機能付加のためのデータ通信システムによれば、模型・ロボットとインターネットのコンテンツサイト内のデータベース間において携帯電話を中継して各種機能データ等の伝送を行うことにより、模型・ロボットに新たな機能例えばレーシングカーに好みのエンジン音を発生させたりモーターの回転制御を自在に行うこと等ができ、家庭用のペット型ロボットや人間型ロボットに好みの鳴き声や言葉を発生させたり動作パターンの変更を自在に行うこと等を付加することができる。このため、模型・ロボットの購入後においても、広く普及した携帯電話により容易且つ安価に娯楽性や機能性の向上を図ることができるという絶大なる効果を奏することができる。
【図面の簡単な説明】
【図１】本発明の模型・ロボットに対する機能付加のためのデータ通信システムを構成するシステム構成図である。
【図２】本発明の模型・ロボットに対する機能付加のためのデータ通信システムにおいて携帯電話とデータ通信を行う通信制御ユニットのブロック回路図である。
【符号の説明】
１　携帯電話
２　携帯電話網
３　携帯電話網データセンター
４　インターネット
５　コンテンツサイト
６　模型
７　ロボット
８　通信制御ユニット
９　模型・ロボット制御部
１０　データ通信部
１１　制御部
１２　音源部
１３　音源駆動部
１４　画像処理部
１５　メモリ部
１６　駆動制御部
１７　表示部
１８　赤外線送受信素子又はアンテナ
１９　スピーカー
２０　ＣＣＤカメラ
【図１】
2004013290.tif 000003
【図２】
2004013290.tif 000004